(57)【要約】【課題】  持ち替えることなく筆記姿勢のままの操作により、鉛芯を定量だけ突出した状態にすることができるシャープペンシルを提供する。【解決手段】  軸筒１０と、該軸筒１０に相対する後退動作と前進動作により鉛芯を繰出す鉛芯繰出し機構Ａと、付勢部材とを具備したシャープペンシルであって、軸筒１０に加えられる後方への押圧力により前記鉛芯繰出し機構Ａを後退動作させ、前記押圧力が解除された際に前記付勢部材の付勢力によって同鉛芯繰出し機構Ａを前進動作させるようにした。【選択図】図１
2010201813.tif 000002
【特許請求の範囲】
【請求項１】
軸筒と、該軸筒に相対する後退動作と前進動作により鉛芯を繰出す鉛芯繰出し機構と、付勢部材とを具備したシャープペンシルであって、
鉛芯に加えられる後方への押圧力により前記鉛芯繰出し機構を後退動作させ、前記押圧力が解除された際に前記付勢部材の付勢力によって同鉛芯繰出し機構を前進動作させるようにしたことを特徴とするシャープペンシル。
【請求項２】
前記鉛芯繰出し機構は、
鉛芯繰出し方向には鉛芯保持を解除し、鉛芯没入方向には筆圧に耐え得る程度の保持力で鉛芯を保持し、保持した鉛芯に対しその前方側から筆圧よりも大なる力が加わった場合には前記保持力を解除するチャック機構と、
前記チャック機構よりも前方側に設けられ、前後移動可能であるとともに、所定の保持力にて鉛芯を保持可能に形成される鉛芯保持機構とを具備し、
前記付勢部材は、前記チャック機構と前記鉛芯保持機構とを離間方向へ付勢するように設けられている、
こと特徴とする請求項１記載のシャープペンシル。
【請求項３】
前記鉛芯繰出し機構は、
前記軸筒内で所定量進退するように設けられるとともに、前進した際に鉛芯を後退不能且つ前進可能に挟持し、所定の解放位置まで後退した際には同鉛芯を解放するチャック機構と、
該チャック機構から繰り出される鉛芯を挿通して前方へ導くとともに、軸筒に相対し所定量進退可能であって、前記チャック機構に牽引されて後退するように設けられた先端ガイド部材と、
鉛芯を前記チャック機構の挟持力よりも弱い力で保持するとともに、前記先端ガイド部材と前記チャック機構との間で進退するように設けられた鉛芯保持機構と、
前記先端ガイド部材の後退に連動して、前記鉛芯保持機構を前記先端ガイド部材に相対し後退させる後退連動手段と、を具備し、
前記付勢部材は、前記チャック機構を軸筒に相対し前方へ付勢する第一付勢部材と、前記鉛芯保持機構を前記チャック機構に相対し前方へ付勢する第二付勢部材とを具備してなることを特徴とする請求項１記載のシャープペンシル。
【請求項４】
前記後退連動手段は、軸筒と前記先端ガイド部とのうちの一方に設けられた第一凸部と、その他方に設けられて後方斜め周方向へ傾斜する第一傾斜部と、前記先端ガイド部と前記鉛芯保持機構とのうちの一方に設けられた第二凸部と、その他方に設けられて後方斜め逆周方向へ傾斜する第二傾斜部とを備えるとともに、前記鉛芯保持機構を軸筒に対し進退可能且つ回動不能に係合し、
第一凸部と第一傾斜部との係合により、軸筒に相対して後退する際の前記先端ガイド部をその後退に伴って回転させるとともに、第二凸部と第二傾斜部との係合により、前記鉛芯保持機構を前記先端ガイド部に相対して後退させるようにしたことを特徴とする請求項３記載のシャープペンシル。
【請求項５】
前記鉛芯保持機構は、先端ガイド部に対して進退可能に係合するスライド部と、該スライド部内で鉛芯の外周面に弾性的に圧接される弾性圧接部とからなることを特徴とする請求項３又は４記載のシャープペンシル。
【請求項６】
前記チャック機構は、軸筒内で進退可能であって前記第一付勢部材によって前方へ付勢されるように設けられた略筒状のスリーブと、
前記第二付勢部材によって後方へ付勢されるとともに前記スリーブに対しその前方側から嵌り合い縮径して鉛芯を挟持するチャック部と、
前記チャック部に相対して進退不能に設けられるとともに所定量後退した際の前記チャック部に当接して前記チャック部の挟持状態を緩める当接部とを備えていることを特徴とする請求項３乃至５何れか１項記載のシャープペンシル。
【請求項７】
操作部を軸筒後端部又は軸筒外周部から露出した状態で軸筒に対し所定量進退可能に設けられるノック部材と、該ノック部材を後方へ付勢する第三付勢部材とを備え、前記当接部を前記ノック部材の前端側に形成して、前記ノック部材の進退により前記先端ガイド部から鉛芯が繰り出されるようにしたことを特徴とする請求項６記載のシャープペンシル。
【発明の詳細な説明】
【技術分野】
【０００１】
本発明は、軸筒内の鉛芯を繰り出すようにしたシャープペンシルに関するものである。
【背景技術】
【０００２】
従来、この種のシャープペンシルは、特許文献１に記載されるもののように、後端側のノック部材（ノブ７）がノック操作されることで、軸筒（９）の前端部（口金１０）から鉛芯（芯８）を繰り出すようにしたものが一般的である。
この従来技術の構造をより詳細に説明すれば、ノック部材（ノブ７）の前進に伴って、軸筒（９）内部で鉛芯（芯８）を挟持したチャック（２）が前進し、該チャック（２）が、所定量の前進の後に環状の締具（３）から外れて鉛芯（芯８）を解放する。
【０００３】
しかしながら、上記従来のシャープペンシルによれば、鉛芯（芯８）を突出させすぎた場合、ノック部材（ノブ７）を押圧してチャック（２）を解放状態に維持しながら、鉛芯（芯８）の前端を被筆記面に押圧する等して鉛芯を引っ込めた後、再度ノック部材（ノブ７）に対するノック操作をする必要があり、そのための操作が面倒であった。
また、筆記中に鉛芯（芯８）が消耗しきったり折れたりした場合には、軸筒（９）後端側のノック部材（ノブ７）をノック操作するために、筆記具を持ち替える必要があった。
【先行技術文献】
【特許文献】
【０００４】
【特許文献１】特開２００７−３０１９１４号公報
【発明の概要】
【発明が解決しようとする課題】
【０００５】
本発明は上記従来事情に鑑みてなされたものであり、その課題とする処は、持ち替えることなく筆記姿勢のままの操作により、鉛芯を定量だけ突出した状態にすることができるシャープペンシルを提供することにある。
【課題を解決するための手段】
【０００６】
上記課題を解決するための技術的手段は、軸筒と、該軸筒に相対する後退動作と前進動作により鉛芯を繰出す鉛芯繰出し機構と、付勢部材とを具備したシャープペンシルであって、鉛芯に加えられる後方への押圧力により前記鉛芯繰出し機構を後退動作させ、前記押圧力が解除された際に前記付勢部材の付勢力によって同鉛芯繰出し機構を前進動作させるようにしたことを特徴とする。
この構成によれば、鉛芯に対し後方への押圧力が加えられると、その押圧力によって鉛芯繰出し機構が軸筒に相対する後退動作をする。そして、前記押圧力が解除されると、付勢部材の付勢力によって同鉛芯繰出し機構が軸筒に相対する前進動作をする。よって、鉛芯繰出し機構は、前記後退動作と前記前進動作により鉛芯を繰出す。
【０００７】
更なる技術的手段では、前記鉛芯繰出し機構は、鉛芯繰出し方向には鉛芯保持を解除し、鉛芯没入方向には筆圧に耐え得る程度の保持力で鉛芯を保持し、保持した鉛芯に対しその前方側から筆圧よりも大なる力が加わった場合には前記保持力を解除するチャック機構と、前記チャック機構よりも前方側に設けられ、前後移動可能であるとともに、所定の保持力にて鉛芯を保持可能に形成される鉛芯保持機構とを具備し、前記付勢部材は、前記チャック機構と前記鉛芯保持機構とを離間方向へ付勢するように設けられている、こと特徴とする請求項１記載のシャープペンシル。
この構成によれば、鉛芯に対し前方側から筆圧よりも大きな力が加わると、チャック機構が解除される。そのため、鉛芯は、チャック機構に対し後退する。この後退に伴って、鉛芯を保持している鉛芯保持機構が、付勢部材の付勢力に抗して後退する。
鉛芯に対する前方側からの力が除去されると、鉛芯保持機構が、鉛芯を保持した状態のまま、付勢部材に付勢されて、チャック機構に相対する前進をする。したがって、鉛芯保持機構の前進に伴って鉛芯も前進する。
【０００８】
更なる技術的手段では、前記鉛芯繰出し機構は、前記軸筒内で所定量進退するように設けられるとともに、前進した際に鉛芯を後退不能且つ前進可能に挟持し、所定の解放位置まで後退した際には同鉛芯を解放するチャック機構と、該チャック機構から繰り出される鉛芯を挿通して前方へ導くとともに、軸筒に相対し所定量進退可能であって、前記チャック機構に牽引されて後退するように設けられた先端ガイド部材と、鉛芯を前記チャック機構の挟持力よりも弱い力で保持するとともに、前記先端ガイド部材と前記チャック機構との間で進退するように設けられた鉛芯保持機構と、前記先端ガイド部材の後退に連動して、前記鉛芯保持機構を前記先端ガイド部材に相対し後退させる後退連動手段と、を具備し、前記付勢部材は、前記チャック機構を軸筒に相対し前方へ付勢する第一付勢部材と、前記鉛芯保持機構を前記チャック機構に相対し前方へ付勢する第二付勢部材とを具備してなることを特徴とする。
この構成によれば、例えば、先端ガイド部材から突出している鉛芯が押圧されて後退すると、鉛芯と共に該鉛芯を挟持しているチャック機構も、第一付勢部材の付勢力に抗して後退する。そして、チャック機構に牽引されて先端ガイド部材も後退する。
先端ガイド部材の後退に伴い、後退連動手段が、先端ガイド部材に相対し鉛芯保持機構を後退させる。
この鉛芯保持機構の後退の際、該鉛芯保持機構の保持力がチャック機構の挟持力よりも弱いため、鉛芯保持機構は、鉛芯に相対し滑りながら後退する。
更に鉛芯が後退すると、その鉛芯と共に所定量後退したチャック機構が解放位置となり、該チャック機構が鉛芯を解放する。したがって、鉛芯が後退可能な状態となる。
更に鉛芯が押圧されると、該鉛芯は、チャック機構から解放されているため、先端ガイド部材、鉛芯保持機構、及びチャック機構に対し、滑って後方へ移動する。
この解放状態において、鉛芯に対する前方からの押圧力が除去された場合には、チャック機構が第一付勢部材の付勢力によって前進するとともに、鉛芯保持機構が第二付勢部材の付勢力によりチャック機構に相対して前進する。
この鉛芯保持機構の前進に伴い、鉛芯保持機構に保持されている鉛芯も前進する。この際、鉛芯はチャック機構に挟持された状態で前進可能であるため、該鉛芯の前進がチャック機構によって阻まれることはない。
鉛芯保持機構は先端ガイド部材に当接するまで前進し、鉛芯保持機構と共に前進する鉛芯は、先端ガイド部材に相対しても前進するため、先端ガイド部材の前端から鉛芯が繰り出される。
【０００９】
更なる技術的手段では、前記後退連動手段は、軸筒と前記先端ガイド部とのうちの一方に設けられた第一凸部と、その他方に設けられて後方斜め周方向へ傾斜する第一傾斜部と、前記先端ガイド部と前記鉛芯保持機構とのうちの一方に設けられた第二凸部と、その他方に設けられて後方斜め逆周方向へ傾斜する第二傾斜部とを備えるとともに、前記鉛芯保持機構を軸筒に対し進退可能且つ回動不能に係合し、第一凸部と第一傾斜部との係合により、軸筒に相対して後退する際の前記先端ガイド部をその後退に伴って回転させるとともに、第二凸部と第二傾斜部との係合により、前記鉛芯保持機構を前記先端ガイド部に相対して後退させるようにしたことを特徴とする。
なお、前記凹部には、貫通孔や有底穴を含む。
この構成によれば、先端ガイド部材の後退に伴い、該先端ガイド部材が第一凸部と第一傾斜部との係合により回転する。先端ガイド部材の前記回転に伴い、第二凸部と第二傾斜部との係合により、鉛芯保持機構が先端ガイド部に相対して後退する。
【００１０】
更なる技術的手段では、前記鉛芯保持機構は、先端ガイド部に対して進退可能に係合するスライド部と、該スライド部内で鉛芯の外周面に弾性的に圧接される弾性圧接部とからなることを特徴とする。
この構成によれば、スライド部が先端ガイド部に相対して進退するとともに、弾性圧接部が鉛芯の外周面を適宜な圧接力で保持する。
【００１１】
更なる技術的手段では、前記チャック機構は、軸筒内で進退可能であって前記第一付勢部材によって前方へ付勢されるように設けられた略筒状のスリーブと、前記第二付勢部材によって後方へ付勢されるとともに前記スリーブに対しその前方側から嵌り合い縮径して鉛芯を挟持するチャック部と、前記チャック部に相対して進退不能に設けられるとともに所定量後退した際の前記チャック部に当接して前記チャック部の挟持状態を緩める当接部とを備えていることを特徴とする。
この構成によれば、スリーブ及びチャック部が所定量後退し、チャック部が当接部に当接すると、チャック部がスリーブに相対して前進して緩む。
【００１２】
更なる技術的手段では、操作部を軸筒後端部又は軸筒外周部から露出した状態で軸筒に対し所定量進退可能に設けられるノック部材と、該ノック部材を後方へ付勢する第三付勢部材とを備え、前記当接部を前記ノック部材の前端側に形成して、前記ノック部材の進退により前記先端ガイド部から鉛芯が繰り出されるようにしたことを特徴とする。
この構成によれば、操作部への押圧操作によりノック部を前進させれば、ノック部前端側の当接部がチャック部に当接し、チャック部が略筒状のスライド部に相対して前進して緩む。
【発明の効果】
【００１３】
本発明は、以上説明したように構成されているので、以下に記載されるような作用効果を奏する。
先端ガイド部から鉛芯が突出しすぎている場合や、先端ガイド部から突出する鉛芯が短すぎる場合、該鉛芯が先端ガイド部の前端と面一である場合に、鉛芯を強く筆記面に押付ける等して、該鉛芯に押圧力を加えて、該鉛芯を後退させた後、その押圧力を解除すれば、該鉛芯が先端ガイド部の前端から定量突出する。
よって、持ち替えることなく筆記姿勢のままの操作により、鉛芯を定量だけ突出した状態にすることができ、ひいては、鉛芯の突出量が長すぎたり短すぎたりした場合や、筆記中に鉛芯が消耗しきったり折れたりした場合などに、鉛芯を簡単に定量だけ突出した状態にすることができる。
【図面の簡単な説明】
【００１４】
【図１】本発明に係わるシャープペンシルの一例を示すシャープペンシルの縦断面図である。
【図２】同シャープペンシルの一例について、図１における（II）−（II）線に沿う断面を示す横断面図である。
【図３】同シャープペンシルの一例について、図１における（III）−（III）線に沿う断面を示す横断面図である。
【図４】同シャープペンシルの一例について、（ａ）は軸筒１０前端側部分を示す要部縦断面図であり、（ｂ）は同部分を外周面側から示す要部展開図である。
【図５】同シャープペンシルの一例について、（ａ）は先端ガイド部材の一例を示す縦断面図であり、（ｂ）は同先端ガイド部材を外周面側から示す要部展開図である。
【図６】同シャープペンシルの一例について、（ａ）は鉛芯保持機構を示す縦断面図であり、（ｂ）は同鉛芯保持機構を外周面側から示す要部展開図である。
【図７】同シャープペンシルの一例について、（１ａ）〜（３ａ）は突出する鉛芯が押圧された際の動作を示す縦断面図であり、前の状態に対し移動した部分のみをハッチングとしている。同図中の（１ｂ）〜（３ｂ）は同動作を示す要部展開図である。
【図８】同シャープペンシルの一例について、（４ａ）〜（６ａ）は図７に続く動作を示す縦断面図であり、前の状態に対し移動した部分のみをハッチングとしている。同図中の（４ｂ）〜（６ｂ）は同動作を示す要部展開図である。
【図９】同シャープペンシルの一例について、（１ａ）〜（３ａ）は先端ガイド部材が押圧された際の動作を示す縦断面図であり、前の状態に対し移動した部分のみをハッチングとしている。同図中の（１ｂ）〜（３ｂ）は同動作を示す要部展開図である。
【図１０】同シャープペンシルの一例について、（ａ）〜（ｂ）は後端ノックされた際の動作を示す縦断面図であり、前の状態に対し移動した部分のみをハッチングとしている。
【図１１】同シャープペンシルの一例について、（ｃ）〜（ｄ）は図１０に続く動作を示す縦断面図であり、前の状態に対し移動した部分のみをハッチングとしている。
【図１２】本発明に係わるシャープペンシルの他例を示すシャープペンシルの縦断面図である。
【図１３】同シャープペンシルの他例について、（１ａ）〜（５ａ）は突出する鉛芯が押圧された際の動作を示す縦断面図であり、前の状態に対し移動した部分のみをハッチングとしている。同図中の（１ｂ）〜（５ｂ）は同動作を示す要部展開図である。
【図１４】同シャープペンシルの他例について、（ａ）〜（ｄ）は後端ノックされた際の動作を示す縦断面図であり、前の状態に対し移動した部分のみをハッチングとしている。
【発明を実施するための形態】
【００１５】
以下、本発明の実施の形態を図面に基づいて説明する。
なお、本明細書中、「前方」とは、シャープペンシル１が鉛芯ｐを繰り出す方向を意味し、「後方」とはその逆の方向を意味する。
【００１６】
このシャープペンシル１は、軸筒１０と、該軸筒１０に相対する後退動作と前進動作により鉛芯を繰出す鉛芯繰出し機構Ａと、付勢部材とを具備したシャープペンシルであって、鉛芯ｐに加えられる後方への押圧力により鉛芯繰出し機構Ａを後退動作させ、前記押圧力が解除された際に前記付勢部材の付勢力によって同鉛芯繰出し機構Ａを前進動作させて、鉛芯繰出し機構Ａから前方へ鉛芯ｐを繰出す。
【００１７】
鉛芯繰出し機構Ａは、軸筒１０内で鉛芯ｐを挟持したり解放したりするチャック機構２０と、該チャック機構２０から繰り出される鉛芯ｐを挿通して前方へ導く先端ガイド部材４０と、鉛芯pを前記チャック機構２０の挟持力よりも弱い力で保持するとともに、前記先端ガイド部材４０と前記チャック機構２０との間で進退するように設けられた鉛芯保持機構５０とを備える。
また、上記付勢部材は、チャック機構２０を軸筒１０に相対し前方へ付勢する第一付勢部材３１と、該鉛芯保持機構５０を前記チャック機構２０に相対し前方へ付勢する第二付勢部材３２とからなる。
また、本実施の形態の鉛芯繰出し機構Ａでは、操作部６１を軸筒１０後端部から露出した状態で軸筒１０に対し所定量進退可能に設けられるノック部材６０と、該ノック部材６０を後方へ付勢する第三付勢部材３３とを具備し、ノック部材６０に対する後方側からのノック操作によっても鉛芯ｐを繰出すことができる。
【００１８】
軸筒１０は、当該シャープペンシル１の略全長にわたる長尺筒状に形成され、その内部前端側に鉛芯保持機構５０と係合する係合溝１１を有し、該係合溝１１よりも後部側にチャック機構２０と係合する段部１２を有する。
また、軸筒１０内部の後部側には、第一付勢部材３１及び第三付勢部材３３を受けるバネ受部１３が固定され、該バネ受部１３よりも更に後端側には、ノック部材６０を構成する鉛芯挿通部材６２の後方への移動を規制する段部１４が形成されている。
この軸筒１０は、図示例によれば、バネ受部１３よりも前側の前軸１０ａと、バネ受部１３よりも後側の後軸１０ｂとをバネ受部１３を介して接続する構造としているが、一体筒状の態様や、３個以上の筒状部材からなる態様等とすることが可能である。
また、他例としては、バネ受部１３を省くとともに、第一付勢部材３１及び第三付勢部材３３に置換して、これら第一付勢部材３１及び第三付勢部材３３の機能を併せ持つ付勢部材を設けるようにしてもよい。より具体的に説明すれば、この場合の前記付勢部材は、例えば、後側スリーブ２１ｂの後端と鉛芯挿通部材６２の鍔部６２ｃ１との間にわたるとともに、バネ荷重を適宜に設定したコイルスプリングとすればよい。
【００１９】
係合溝１１は、軸筒１０の前端側内周面に形成された溝であり、図４（ｂ）に特によく示されるように、軸筒後方へ直線状に向かう第一ストレート凹部１１ａと、該第一ストレート凹部１１ａの後方側に連接されて後方斜め周方向へ傾斜する第一傾斜部１１ｂと、該第一傾斜部１１ｂの後方側に連接されて軸筒後方へ直線状に向かう第二ストレート凹部１１ｃとから構成される。
なお、この係合溝１１は、図示例によれば凹溝状に形成しているが、他例としては軸筒１０周壁を貫通する孔状に形成してもよい。
【００２０】
段部１２は、軸筒１０の内周面を後方へ向かって階段状に拡径してなり、後述するチャック機構２０の前方への移動を規制する。
【００２１】
バネ受部１３は、前側部分により第一付勢部材３１の後端座部を受けるとともに、後側部分により第三付勢部材３３の前端座部を受けている。
このバネ受部１３の軸心側部分には、後述する鉛芯挿通部材６２が進退可能に挿通されている。
【００２２】
段部１４は、軸筒１０の内周面を後方へ向かって階段状に縮径するように形成され、後述する鉛芯挿通部材６２の後方への移動を規制する。
【００２３】
また、チャック機構２０は、軸筒１０内で所定量進退するとともに、前進した際に鉛芯ｐを後退不能且つ前進可能に挟持し、所定の解放位置まで後退した際には同鉛芯を解放する機構である。
このチャック機構２０は、鉛芯繰出し方向には鉛芯保持を解除し、鉛芯没入方向には筆圧に耐え得る程度の保持力で鉛芯ｐを保持し、保持した鉛芯ｐに対しその前方側から筆圧よりも大なる力が加わった場合には前記保持力を解除するように構成される。
【００２４】
より具体的に説明すれば、このチャック機構２０は、軸筒１０内で進退可能であって第一付勢部材３１によって前方へ付勢されるように設けられた略筒状のスリーブ２１と、第二付勢部材３２によって後方へ付勢されるとともにスリーブ２１に対しその前方側から嵌り合い縮径して鉛芯を挟持するチャック部２２と、チャック部２２をスリーブ２１に対しスムーズに係脱させるボール２３とを備える。
このチャック機構２０は、所定量後退した際に、チャック部２２の後端を、該チャック部２２に相対して不動な当接部６２ｂ１（後述するノック部材６０の前端側に設けられた部分）に当接させることで、チャック部２２を解放する。
【００２５】
スリーブ２１は、軸筒１０内周面の段部１２よりも前側の部分に対し進退可能に遊嵌する前側スリーブ２１ａと、同軸筒１０内周面の段部１２よりも後側の部分に対し進退可能に遊嵌する後側スリーブ２１ｂとから構成されている。
【００２６】
前側スリーブ２１ａは、前端側外周面と後端側外周面が縮径された略段付筒状を呈し、その前端側の外周面を縮径するとともに、該縮径部分の前端部に拡径方向へ突出する掛止突起２１ａ１を有する。
【００２７】
前記掛止突起２１ａ１は、周方向において等間隔となるように複数（図示例によれば二つ）設けられる。
この掛止突起２１ａ１は、後述する先端ガイド部材４０に係合し、後方へ移動した際に先端ガイド部材４０を牽引して後退させる。
【００２８】
また、前側スリーブ２１ａの内周面の前端側には、後方へ向かって徐々に縮径する傾斜面２１ａ２が形成され、この傾斜面２１ａ２は、前方からボール２３を介して嵌め合わせられるチャック部２２を、徐々に縮径させる。
また、前側スリーブ２１ａの内周面の傾斜面２１ａ２よりも後側には、軸筒求心方向へ突出する突部２１ａ３が設けられる。この突部２１ａ３は、後述するチャック部２２の後端側外面の係止突部２２ｂ１と係合して、チャック部２２が前側スリーブ２１ａから前方へ引き抜けてしまうのを阻む。
【００２９】
また、前側スリーブ２１ａの外周面の後部側は、段部２１ａ４を境に、その後部側が前部側よりも縮径された縮径部２１ａ５となっている。
前記段部２１ａ４は、後側スリーブ２１ｂが前進した際に、該後側スリーブ２１ｂの前端によって当接される当接面として作用する。
縮径部２１ａ５は、後側スリーブ２１ｂ内で若干弾性的に拡径可能なように、後側スリーブ２１ｂ内周面との間に隙間を有する外径に形成される。
この縮径部２１ａ５の内周面の後端側には、後述する鉛芯挿通部材６２外周面の前端側の凹部に対し嵌り合うように凸部２１ａ６が形成されている。
【００３０】
また、後側スリーブ２１ｂは、全長にわたって略同径の筒状を呈し、前進した際に、前端部を軸筒１０内の段部１２に当接する。
この後側スリーブ２１ｂの後方への移動は、バネ受部１３に当接することで規制されるようになっている。
【００３１】
また、チャック部２２は、弾性を有する合成樹脂材料又は金属材料から形成され、鉛芯ｐの周囲に位置するように同芯状に配置された複数（例えば２又は３）の爪部２２ａと、該爪部２２ａを後端側で連結する筒部２２ｂとからなる。
このチャック部２２は、爪部２２ａを縮径した際に鉛芯ｐを挟持し、同爪部２２ａを拡径した際には鉛芯ｐを解放する。
【００３２】
爪部２２ａは、弾性力によって拡径するように筒部２２ｂ前端側に接続されている。この爪部２２ａの軸筒遠心方向側の面には、略球状のボール２３を遊嵌するための凹部２２ａ１が設けられる（図７（１ａ）参照）。
【００３３】
筒部２２ｂは、その外周面の後端側に、前側スリーブ２１ａ内周面の突部２１ａ３に係止される係止突部２２ｂ１を有する。
筒部２２ｂの内周面は、鉛芯ｐの外周面との間に隙間を有する内径に形成される。この隙間には、後述する鉛芯挿通部材６２の前端部分が嵌り合うようになっている。
【００３４】
上記構成のチャック部２２は、前側スリーブ２１ａに相対して後退し、前側スリーブ２１ａの前端側内周面の傾斜面２１ａ２に嵌り合うことで、複数の爪部２２ａを閉じて鉛芯ｐを挟持する。
この挟持状態において、鉛芯ｐが後方へ押圧された場合には、爪部２２ａによる挟持力が更に増すため、押圧された鉛芯ｐの後退が阻まれる。
同挟持状態において、鉛芯ｐが前方へ引かれた場合には、複数の爪部２２ａがボール２３の作用によって前側スリーブ２１ａからスムーズに離脱するため、鉛芯ｐの前進を阻まない。
【００３５】
また、第一付勢部材３１,第二付勢部材３２,第三付勢部材３３の各々は、図示例によれば、コイルスプリングである。
第一付勢部材３１は、その後端座部がバネ受部１３に受けられるとともに、その前端座部を後側スリーブ２１ｂ後端に当接させることで、後側スリーブ２１ｂを前方へ付勢している。
この第一付勢部材３１の付勢力は、該第一付勢部材３１が通常の筆記状態で加わる筆圧によって収縮することのないように、その付勢力が適宜に設定されている。
【００３６】
第二付勢部材３２は、鉛芯保持機構５０を前方へ押圧するとともに、チャック部２２を後方へ付勢している。換言すれば、この第二付勢部材３２は、鉛芯保持機構５０とチャック機構２０のチャック部２２とを離間方向へ付勢している。
この第二付勢部材３２の付勢力は、第一付勢部材３１の付勢力よりも弱くなるように、適宜に設定されている。
【００３７】
第三付勢部材３３は、その前端座部がバネ受部１３に受けられるとともに、その後端座部を鉛芯挿通部材６２の鍔部６２ｃ１に当接させて、鉛芯挿通部材６２を後方へ付勢している。
【００３８】
また、先端ガイド部材４０は、該チャック機構２０から繰り出される鉛芯ｐを挿通して前方へ導くとともに、軸筒１０に相対し所定量進退可能であって、前記チャック機構２０に牽引されて後退するように設けられている。
より詳細に説明すれば、この先端ガイド部材４０は、軸筒１０前端から前方へ突出する突出管部４１と、該突出管部４１の後端に接続された筒部４２とから一体に形成される。
【００３９】
突出管部４１は、軸筒１０前端から前方へ突出して露出されるとともに、その軸心側に鉛芯ｐを挿通させるように管状（図示例によれば前方へ向かって段付状に縮径する段付管状）に形成される。
【００４０】
筒部４２は、その内部に後述する鉛芯保持機構５０を進退及び回転可能に嵌め合わせる略円筒状に形成される。この筒部４２には、図５に示すように、第一凸部４２ａと、第二傾斜部４２ｂ１と、複数の係合孔部４２ｃとを有する（図５参照）。
【００４１】
第一凸部４２ａは、筒部４２の前端側外周面から遠心方向へ突出する略円柱状に形成され、軸筒１０内周面の係合溝１１に対し遊嵌する。
【００４２】
第二傾斜部４２ｂ１は、軸筒１０内周面の係合溝１１の第一傾斜部１１ｂに対し、左右対称に傾斜する傾斜面である。
この第二傾斜部４２ｂ１は、図示例によれば、先端ガイド部材４０の筒部４２に平面視三角形状の係合孔４２ｂを設けることで、この係合孔４２ｂ内面の前端側の部分とされる。
【００４３】
係合孔部４２ｃは、スリーブ２１の掛止突起２１ａ１を遊嵌させるように複数設けられている。
各係合孔部４２ｃは、内在する掛止突起２１ａ１を前後方向へ移動可能に形成され、図示例によれば、掛止突起２１ａ１よりも前後方向（図中上下方向）の長さが長い略矩形状に形成される。
この係合孔部４２ｃは、図示例では貫通孔としているが、有底状の凹部とすることが可能である。
【００４４】
また、鉛芯保持機構５０は、チャック機構２０よりも前方側に設けられ、前後移動可能であるとともに、所定の保持力にて鉛芯ｐを保持可能となるように構成される。
より具体的に説明すれば、この鉛芯保持機構５０は、先端ガイド部材４０に対して進退可能に係合するスライド部５１と、該スライド部５１内で鉛芯の外周面に弾性的に圧接される弾性圧接部５２とからなる。（図６参照）
【００４５】
スライド部５１は、先端ガイド部材４０の筒部４２内に嵌り合う略円筒状に形成される。このスライド部５１の外周面には、先端ガイド部材４０の第二傾斜部４２ｂ１に対し係合する第二凸部５１ａと、前進した際の前側スリーブ２１ａに当接される当接部５１ｂとが設けられる。
【００４６】
第二凸部５１ａは、スライド部５１の外周面から遠心方向へ突出する略円柱状の突起であり、先端ガイド部材４０の係合孔４２ｂに遊嵌され、該係合孔４２ｂ内の第二傾斜部４２ｂ１に摺接するとともに、その突端側で軸筒１０内面の係合溝１１に対しても係合する。
【００４７】
当接部５１ｂは、スライド部５１の後端外周面から遠心方向へ突出する突起であり、図示例によれば、スライド部５１の略全周にわたる環状に突設される。
この当接部５１ｂは、前側スリーブ２１ａが前進した際に、該前側スリーブ２１ａ前端の掛止突起２１ａ１を、その前方側から受ける（図７（３ａ）参照）。
【００４８】
そして、スライド部５１の内周面には、前端側から順に、鉛芯ｐ外周面に近接又は接触するように該鉛芯ｐを挿通する鉛芯挿通孔５１ｃと、弾性圧接部５２を進退不能に嵌め合わせる嵌合孔５１ｄと、第二付勢部材３２の前端側を受けるバネ受部５１ｅとが、後方へ向かって段階的に拡径する断面略階段状に配設される。
【００４９】
また、弾性圧接部５２は、ゴムやエラストマー樹脂等の弾性体により形成される。この弾性圧接部５２外周面の後部側は、スライド部５１内に嵌合され、その前部側は、前方へ向かって徐々に縮径している。
この弾性圧接部５２内面の後部側は、前方へ向かって徐々に縮径し、その前部側は、鉛芯ｐ外周面に対し弾性的に圧接される略内面円筒状に形成される。
この弾性圧接部５２によれば、挿通される鉛芯ｐは、所定の保持力で保持されることになる。
なお、図示例の弾性圧接部５２は、当業者により芯ブレーカと呼称される場合がある。
また、弾性圧接部５２は、インサート成形等の要領で、スライド部５１に対し一体に成形することも可能である。
【００５０】
また、ノック部材６０は、軸筒１０の後端から後方へ突出して露出された押圧操作部６１と、該押圧操作部６１の前側に連結されて押圧操作部６１と一体的に進退動作する鉛芯挿通部材６２とから構成される（図１参照）。
【００５１】
押圧操作部６１は、鉛芯挿通部材６２の後端に嵌脱可能に嵌め合わせられたキャップ状の部材である。
【００５２】
鉛芯挿通部材６２は、チャック部２２の後端側内部へ挿入される挿入部６２ａと、該挿入部６２ａの後方側で前側スリーブ２１ａ内周面に対し係合する係合筒部６２ｂと、該係合筒部６２ｂよりも後方側で複数の鉛芯ｐを内在可能な芯タンク部６２ｃとを具備する。
【００５３】
挿入部６２ａは、チャック部２２の筒部２２ｂ内周面と鉛芯ｐ外周面との間に遊挿可能な略円筒状に形成される。
【００５４】
係合筒部６２ｂは、挿入部６２ａよりも一回り程大径であって、前側スリーブ２１ａの縮径部２１ａ５内周面と鉛芯ｐ外周面との間に遊挿可能な略円筒状に形成される。
この係合筒部６２ｂと挿入部６２ａとの境目となる段部は、所定量後退した際のチャック部２２に当接してチャック部２２の挟持状態を緩める当接部６２ｂ１として機能する（図７参照）。
【００５５】
係合筒部６２ｂの長さ方向中途位置における外周面には、前側スリーブ２１ａ後端側の凸部２１ａ６に対し係合する係合凹部６２ｂ２（図７参照）が形成されている。
この係合凹部６２ｂ２は、内在する凸部２１ａ６を前後方向へ所定量移動可能な長さに形成される。この係合凹部６２ｂ２の後端部は、凸部２１ａ６を弾性的に拡径させながら後方へ乗り上がらせるように傾斜している（図１１（ｃ）参照）。
【００５６】
芯タンク部６２ｃは、係合筒部６２ｂよりも更に一回り程大径であって、その内部に複数本の鉛芯ｐを内在可能な略筒状に形成される。
この芯タンク部６２ｃの後端側外周面には、第三付勢部材３３の後端部を受けるための鍔部６２ｃ１が環状に突出している。
この芯タンク部６２ｃにおけるバネ受部１３よりも前側の部分には、第一付勢部材３１を環装し、バネ受部１３よりも後側の部分には、第三付勢部材３３を環装している。
そして、芯タンク部６２ｃは、バネ受部１３内に挿通されて該バネ受部１３内周面に摺接させるとともに、前記鍔部６２ｃ１の外周面が軸筒１０内周面に摺接れることで、前後方向へ案内される。
なお、図示を省略するが、鉛芯挿通部材６２（詳細には芯タンク部６２ｃ）の後端には、必要に応じて消しゴムを装着するようにしてもよい。
【００５７】
次に、上記構成のシャープペンシル１について、その特徴的な作用効果を説明する。
最初に、先端ガイド部材４０前端から突出する鉛芯ｐの量が長すぎた場合に、その鉛芯ｐの突出量を適量にする操作について説明する。なお、図７及び図８の（１ａ）〜（６ａ）において、ハッチングを施した部分は、その前の状態に対し動いた部分を示しており、前の状態に対し動かなかった部分についてはハッチングを省略している。
【００５８】
図７（１ａ）（１ｂ）は、当該シャープペンシル１が操作される前の状態であって、鉛芯ｐが先端ガイド部材４０の前端から通常よりも長く突出した静止状態を示している。
【００５９】
先ず、鉛芯ｐが通常の筆記状態の筆圧以上の力でもって被筆記面ｑに押圧されると、鉛芯ｐは、チャック部２２により挟持されているため、該チャック部２２及びボール２３を後方へ押動するとともに、チャック部２２を挟持状態に保持している前側スリーブ２１ａ、及び該前側スリーブ２１ａの後端に当接される後側スリーブ２１ｂを、第一付勢部材３１の付勢力に抗して、一体的に後退させる。
この後退の際、後側スリーブ２１ｂは、ノック部材６０に相対して後退するため、後側スリーブ２１ｂ後端側の凸部２１ａ６と、ノック部材６０前端側の係合凹部６２ｂ２との係合状態が外れる。
【００６０】
また、前記後退の際、前側スリーブ２１ａ前端側の掛止突起２１ａ１が先端ガイド部材４０の係合孔部４２ｃに掛止されているため、前記後退に連動して、先端ガイド部材４０及び鉛芯保持機構５０も、図７に示す寸法ｘ１だけ後退する。
【００６１】
前記のようにして先端ガイド部材４０が後退すると、図７（２ｂ）に示すように、先端ガイド部材４０の第一凸部４２ａが、軸筒１０内周面の第一傾斜部１１ｂに当接する。
【００６２】
次に、軸筒１０と鉛芯保持機構５０と先端ガイド部材４０の係合関係が、先端ガイド部材４０の後退に連動して、鉛芯保持機構５０を先端ガイド部材４０に相対し後退させる後退連動手段として形成される。
詳細に説明すれば、鉛芯ｐに対する押圧力が維持され、先端ガイド部材４０の後退が継続すると、第一凸部４２ａと第一傾斜部１１ｂとの摺接により、先端ガイド部材４０が、図７（２ｂ）に示す状態から図７（３ｂ）に示す状態まで回転しながら寸法ｘ２だけ後退することになる。
また、先端ガイド部材４０の前記回転及び後退に伴い、鉛芯保持機構５０の第二凸部５１ａが先端ガイド部材４０の第二傾斜部４２ｂ１に摺接されるため、鉛芯保持機構５０（詳細にはスライド部５１及び弾性圧接部５２）は、先端ガイド部材４０に相対して寸法ｓ１（図７（３ａ）参照）だけ後退することになる。
【００６３】
そして、鉛芯保持機構５０の当接部５１ｂは、前記後退によって前側スリーブ２１ａ前端側の掛止突起２１ａ１に当接し（図７（３ａ）（３ｂ）参照）、略同時に、鉛芯ｐと共に後退したチャック部２２の後端が鉛芯挿通部材６２前端の当接部６２ｂ１に当接する（図７（３ａ）参照）。
【００６４】
したがって、鉛芯ｐに対する押圧が継続すると、チャック部２２は、当接部６２ｂ１に当接され後退しないため、前側スリーブ２１ａに相対し前進したことになり、鉛芯ｐに対する挟持力を緩めた解放状態となる。
そのため、鉛芯ｐのみが後退して、図８（４ａ）に示すように、該鉛芯ｐの前端と、先端ガイド部材４０前端とが、面一になる。
【００６５】
なお、前記鉛芯ｐのみの後退の際、鉛芯ｐと弾性圧接部５２とが弾性的な圧接状態であるため、鉛芯ｐは、弾性圧接部５２内面を滑って後退することが可能である。すなわち、鉛芯ｐの後退は、弾性圧接部５２に阻まれない。
【００６６】
そして、更に鉛芯ｐに対する押圧が継続すると、その押圧力は鉛芯ｐ及び先端ガイド部材４０の前端に加わる（図８（４ａ）参照）。
したがって、先端ガイド部材４０の後方への押圧力が鉛芯保持機構５０に伝達し、更に鉛芯保持機構５０の後方へ押圧力が前側スリーブ２１ａ及び後側スリーブ２１ｂに伝達する。
よって、鉛芯ｐ、先端ガイド部材４０、鉛芯保持機構５０、前側スリーブ２１ａ、及び後側スリーブ２１ｂが一体的に後退し、後側スリーブ２１ｂとバネ受部１３の隙間ｓ２が狭まり、更には後側スリーブ２１ｂがバネ受部１３に当接した状態（図８（５ａ）参照）となる。この際の後退量は図中寸法ｘ３となる。
【００６７】
次に、鉛芯ｐに対する押圧力が解除された場合には、第一付勢部材３１の付勢力により、後側スリーブ２１ｂ及び前側スリーブ２１ａが前進を開始する。
それと略同時に、第二付勢部材３２の付勢力により、チャック部２２に相対し、鉛芯保持機構５０が鉛芯ｐを保持したまま前進を開始する。
そして、この際前進する鉛芯保持機構５０は、第二凸部５１ａを先端ガイド部材４０の第二傾斜部４２ｂ１に摺接させる（図８（５ｂ）参照）。
そのため、先端ガイド部材４０は、後退時と逆の回転方向（図８（５ｂ）（６ｂ）の展開図上では右方向）へ回転しながら前進する。
【００６８】
よって、前記前進の際に、鉛芯ｐを保持した鉛芯保持機構５０が先端ガイド部材４０に接近するとともに、先端ガイド部材４０の前端から鉛芯ｐが突出されてゆくことになる。
なお、この前進中、鉛芯ｐが鉛芯保持機構５０によって前方へ引っ張られることで、チャック部２２が前側スリーブ２１ａに相対し若干前進して緩むため、鉛芯ｐの前進がチャック部２２の挟持力により阻まれることはない。
【００６９】
図８中において、寸法ｘ４は、前記のようにして鉛芯ｐに対する押圧力が解除された後に先端ガイド部材４０が前進する量を示し、寸法ｘ５は、鉛芯ｐの前進量（すなわち先端ガイド部材４０前端から突出した量）を示す。
なお、鉛芯ｐの前進量ｘ５（突出量）は、先端ガイド部材４０及び鉛芯保持機構５０の後退時に、先端ガイド部材４０と鉛芯保持機構５０との間に形成される隙間ｓ１（図８（５ａ）参照）と略同じになる。
【００７０】
図７及び図８に示す作用は、突出しすぎた鉛芯ｐを適量突出した状態にするための操作として説明したが、本実施の形態によれば、突出量が少なすぎた場合（先端ガイド部材４０前端と鉛芯ｐ前端とが面一の場合を含む）の鉛芯ｐを、前記と略同様の操作により、適量突出した状態にすることができる。
すなわち、面一にある鉛芯ｐの前端（図９（１ａ）参照）、あるいは突出量の少なすぎた鉛芯ｐの前端（図示せず）を、被筆記面ｑに対し筆圧以上の力で押圧し、鉛芯ｐ及び先端ガイド部材４０を後退させ（図９（２ａ））、その後に前記押圧力を解除すればよい（図９（３ａ））。
この場合も、上述した図７〜図８に示す動作と略同様にして、鉛芯ｐ及び先端ガイド部材４０の寸法ｘ１’の後退に伴い鉛芯保持機構５０が滑り［又は移動し］（図９（２ａ）参照）、その後に鉛芯ｐへの押圧力が除去されと、先端ガイド部材４０が寸法ｘ２’だけ前進するとともに、鉛芯ｐが鉛芯保持機構５０と共に先端ガイド部材４０に相対して前進し、鉛芯ｐの突出量ｘ３’が適量となる（図９（３ａ）参照）。なお、この突出量ｘ３’は、先端ガイド部材４０と鉛芯保持機構５０が後退した際の間隔ｓ１と略同じとなる。
【００７１】
以上は、鉛芯ｐを前方から押圧する操作により該鉛芯ｐを先端ガイド部材４０から突出させる操作について説明したが、本実施の形態のシャープペンシル１によればノック部材６０に対するノック操作によっても鉛芯ｐを突出させることができる。以下、その場合の動作を図１０及び図１１に基づき説明する。
なお、図１０及び図１１の（ａ）〜（ｄ）において、ハッチングを施した部分は、その前の状態に対し動いた部分を示しており、前の状態に対し動かなかった部分についてはハッチングを省略している。
【００７２】
図１０（ａ）は、当該シャープペンシル１が操作される前の状態であって、鉛芯ｐが先端ガイド部材４０の前端から突出しない静止状態を示している。
この際、前側スリーブ２１ａ前端と鉛芯保持機構５０後端との間には、隙間ｓ３が形成される。同時に、チャック部２２後端と鉛芯挿通部材６２の当接部６２ｂ１との間には隙間ｓ４が形成される。
【００７３】
図１０（ｂ）に示すように、ノック操作によりノック部材６０が前進すると、前進するノック部材６０前端側の係合凹部６２ｂ２が、前側スリーブ２１ａ後端側の凸部２１ａ６に掛止されているため、ノック部材６０の前進に伴い前側スリーブ２１ａも前進する。
【００７４】
この前進の際、チャック部２２も前側スリーブ２１ａに押されて前進することになり、このチャック部２２は、前側スリーブ２１ａに嵌り合っているため、チャック部２２に挟持されている鉛芯ｐも前進し、該鉛芯ｐは先端ガイド部材４０前端から適量突出した状態となる。
【００７５】
また、前進した前側スリーブ２１ａは、図１０（ｂ）に示すように、鉛芯保持機構５０の後端に当接する。
なお、より詳細には、前側スリーブ２１ａの前進の際、前側スリーブ２１ａ前端の掛止突起２１ａ１が、先端ガイド部材４０の係合孔部４２ｃ（図５参照）内を前方へ移動して、鉛芯保持機構５０後端の当接部５１ｂに当接する。
【００７６】
更に、ノック部材６０の前進が継続すると、前側スリーブ２１ａが弾性的に拡径することで、該前側スリーブ２１ａの凸部２１ａ６が、鉛芯挿通部材６２の係合凹部６２ｂ２の後方へせり上がるようにして、これら凸部２１ａ６と係合凹部６２ｂ２の掛合が外れる。したがって、鉛芯挿通部材６２とチャック部２２との隙間ｓ４を狭めるようにして、前側スリーブ２１ａに相対し鉛芯挿通部材６２が前進することになる。
すると、鉛芯挿通部材６２の前部側の当接部６２ｂ１が、チャック部２２の後端部に当接する（図１１（ｃ））。
【００７７】
更に、ノック部材６０の前進が継続すると、前進するノック部材６０がチャック部２２を押動し、チャック部２２が前側スリーブ２１ａから外れるようにして前方へ移動することになる（図１１（ｄ）参照）。
よって、チャック部２２は、鉛芯ｐを挟持しない解除状態となる。
【００７８】
前記解除状態のまま、ノック部材６０に対する押圧力が解除されると、ノック部材６０は、第三付勢部材３３の付勢力により後方へ移動する。同時に、第二付勢部材３２によりチャック部２２と鉛芯保持機構５０とを離間させる。
この後方への移動により、ノック部材６０前端側の係合凹部６２ｂ２が凸部２１ａ６に掛止した状態に戻り、ノック部材６０の更なる後退に追従して、前側スリーブ２１ａも後退する（図示省略）。
この後退の際、鉛芯ｐは、チャック部２２の挟持力から解放されて鉛芯保持機構５０に保持されているため、後方へは移動せず、先端ガイド部材４０前端から適量突出した状態に維持される。
【００７９】
なお、上記実施の形態のシャープペンシル１は、チャック部２２をボール２３を介して前側スリーブ２１ａに嵌脱させる態様としているが、他例としては、図１２に示すシャープペンシル２のようにしてもよい。
なお、シャープペンシル２は、上記シャープペンシル１に対し一部構成を変更したものであるため、シャープペンシル１と略同一に作用する部分については同一の符号を付けることで重複する詳細説明を省略する。
【００８０】
シャープペンシル２は、シャープペンシル１からボール２３を省くとともに、チャック部２２をチャック部２２’に、前側スリーブ２１ａをスリーブ２１ａ’に、鉛芯挿通部材６２を鉛芯挿通部材６２’に、それぞれ置換した構成とされる。
【００８１】
チャック部２２’は、鉛芯ｐの周囲に位置するように同芯状に配置された複数（例えば２又は３）の爪部２２ａ’と、該爪部２２ａ’を後端側で連結する筒部２２ｂとからなる。
このチャック部２２’の爪部２２ａ’は、上記第一実施例のチャック部２２から凹部２２ａ１を省いた形状を呈するとともに、その外周の後部側に、後方へ向かって縮径する傾斜部を形成している。
【００８２】
また、スリーブ２１ａ’は、上記前側スリーブ２１ａから後部側の縮径部２１ａ５を省いた構成となっている。
このスリーブ２１ａ’の内周面の前端側には、後方へ向かって徐々に縮径する傾斜面が形成され、この傾斜面は、前方から嵌め合わせられるチャック部２２’を、徐々に縮径させる。
【００８３】
また、鉛芯挿通部材６２’は、チャック部２２’の後端側内部へ挿入される挿入部６２ａと、該挿入部６２ａよりも後方側で複数の鉛芯ｐを内在可能な芯タンク部６２ｃとを具備し、挿入部６２ａと芯タンク部６２ｃとの間の段部を、チャック部２２’後端に当接させるための当接部６２ｂ１’としている。
【００８４】
このシャープペンシル２は、鉛芯ｐが前方からノックされた際には、上記構成のシャープペンシル１と略同様に動作して、長すぎたり短すぎた場合の鉛芯ｐを、先端ガイド部材４０の前端から適量だけ突出させた状態にすることができる（図１３（１ａ）（１ｂ）〜（５ａ）（５ｂ）参照）。
なお、前記動作の際、シャープペンシル２では、シャープペンシル１の場合における後側スリーブ２１ｂ後端側の凸部２１ａ６とノック部材６０前端側の係合凹部６２ｂ２とを有さないため、これらの間の嵌脱動作（図７（１ａ）（２ａ）参照）が発生しない。
【００８５】
また、このシャープペンシル２では、ノック部材６０が後方からノックされた際には、上記構成のシャープペンシル１と略同様に動作して、先端ガイド部材４０の前端から鉛芯ｐを適量だけ突出させることができる（図１４（ａ）〜（ｄ）参照）。
なお、前記動作の際、シャープペンシル２では、シャープペンシル１の場合における後側スリーブ２１ｂ後端側の凸部２１ａ６とノック部材６０前端側の係合凹部６２ｂ２とを有さないため、これらの間の嵌脱動作（図１０（ｂ）（ｃ）参照）が発生しない。
【００８６】
すなわち、シャープペンシル２の場合には、ノック部材６０の当接部６２ｃ１’がチャック部２２’後端に当接（図１４（ｂ）参照）して更に前進した際に、該チャック部２２’の周囲に嵌合しているスリーブ２１ａ’も前進する（図１４（ｃ）参照）。
そして、前進したスリーブ２１ａ’は鉛芯保持機構５０に当接し、チャック部２２’が解放する（図１４（ｄ）参照）。
そのため、シャープペンシル２では、シャープペンシル１における凸部２１ａ６及び係合凹部６２ｂ２が不要である。
【００８７】
しかしながら、前者のシャープペンシル１において、仮に凸部２１ａ６及び係合凹部６２ｂ２を有さない場合には、前側スリーブ２１ａがボール２３を介することでチャック部２２の周囲に容易に離脱可能な状態で係合しているため、ノック部材６０がチャック部２２後端に当接して更に前進したとしても、チャック部２２及びボール２３のみが前側スリーブ２１ａと独立して前進してしまい、ひいては、チャック部２２を鉛芯挟持状態のまま前進させることができなくなってしまう。
そこで、上記シャープペンシル１の場合には、凸部２１ａ６及び係合凹部６２ｂ２の嵌合により、ノック部材６０の前進に前側スリーブ２１ａを連動させ、前側スリーブ２１ａが鉛芯保持機構５０に当接するまで、チャック部２２による鉛芯挟持状態を維持するようにしている（図１０（ａ）（ｂ））。
【符号の説明】
【００８８】
１０：軸筒                          １１：係合溝
１１ｂ：第一傾斜部                  ２０：チャック機構
２１：スリーブ                      ２２：チャック部
３１：第一付勢部材                  ３２：第二付勢部材
３３：第三付勢部材                  ４０：先端ガイド部材
４２ａ：第一凸部                    ４２ｂ：係合孔
４２ｂ１：第二傾斜部                ５０：鉛芯保持機構
５１：スライド部                    ５１ａ：第二凸部
５２：弾性圧接部                    ６０：ノック部材
６１：押圧操作部                    ６２ｂ１：当接部
Ａ：鉛芯繰出し機構                  ｐ：鉛芯
【図１】
2010201813.tif 000003
【図２】
2010201813.tif 000004
【図３】
2010201813.tif 000005
【図４】
2010201813.tif 000006
【図５】
2010201813.tif 000007
【図６】
2010201813.tif 000008
【図７】
2010201813.tif 000009
【図８】
2010201813.tif 000010
【図９】
2010201813.tif 000011
【図１０】
2010201813.tif 000012
【図１１】
2010201813.tif 000013
【図１２】
2010201813.tif 000014
【図１３】
2010201813.tif 000015
【図１４】
2010201813.tif 000016